(57)【要約】【課題】多機能な後処理装置を有する画像形成システムのブレード、感光体等の資材や現像剤の寿命（耐久性能）を延ばし、画質劣化を防止し、高画質と高生産性を維持させる。【解決手段】電子写真方式の画像形成装置と、プリントされた用紙に後処理を行う後処理装置とを有する画像形成システムにおいて、複数の種類のＪｏｂ内容及び各Ｊｏｂ内容に対応したプリント動作のシーケンスデータを予め前記画像形成システム内に登録して記憶する記憶手段と、前記各Ｊｏｂ内容の何れか１つに対する設定データを入力する操作部と、該設定データと前記記憶手段の登録内容とを照合して適合する前記シーケンス回路を選択する制御手段とを有し、前記シーケンスデータは、隣り合う用紙間で初めの用紙の後端が検出され、次の用紙の先端が検出されるまでに、作像系ユニットの駆動を定常速度の状態、減速の状態、停止の状態の何れか１つの状態で選択させる画像形成システム。【選択図】図２
2007171573.tif 000002
【特許請求の範囲】
【請求項１】
静電潜像担持体上に形成された静電潜像を現像剤担持体上に担持した現像剤によって現像して用紙にプリントする電子写真方式の画像形成装置と、プリントされた用紙に後処理を行う後処理装置とを有する画像形成システムにおいて、
複数の種類のＪｏｂ内容及び各Ｊｏｂ内容に対応したプリント動作のシーケンスデータを予め前記画像形成システム内に登録して記憶する記憶手段と、
前記各Ｊｏｂ内容の何れか１つに対する設定データを入力する操作部と、
該設定データと前記記憶手段の登録内容とを照合して適合する前記シーケンスデータを選択する制御手段とを有し、
前記シーケンスデータは、隣り合う用紙間で初めの用紙の後端が検出され、次の用紙の先端が検出されるまでに、作像系ユニットの駆動を定常速度の状態、減速の状態、停止の状態の何れか１つの状態に選択されるようにしてあることを特徴とする画像形成システム。
【請求項２】
前記複数の種類のＪｏｂ内容に組みこまれるデータは、用紙枚数、用紙サイズ、後処理機能の種類の少なくとも１つを含むものであることを特徴とする請求項１に記載の画像形成システム。
【請求項３】
前記作像系ユニットの中で駆動を減速の状態、停止の状態にする部材は、少なくとも静電潜像担持体及び現像器の攪拌部材であることを特徴とする請求項１又は２に記載の画像形成システム。
【請求項４】
前記作像系ユニットの駆動を減速の状態又は停止の状態にさせるシーケンスデータは、製本単位の最後に供給される用紙と次の製本単位の最初に供給される用紙との間に有る条件の場合に対応して前記後処理機能の種類が選択され、前記条件以外の場合の用紙間では定常速度の状態に選択されていることを特徴とする請求項１〜３の何れか１項に記載の画像形成システム。
【請求項５】
前記記憶手段に登録される前記Ｊｏｂ内容のデータ及び前記シーケンスデータは、マトリックス状に組みこまれた制御テーブルに格納されていることを特徴とする請求項１〜４の何れか１項に記載の画像形成システム。
【発明の詳細な説明】
【技術分野】
【０００１】
本発明は画像形成装置にオプションとして製本等の後処理装置が組みこまれた場合でも、トナーや感光体の劣化を避けながら、円滑に効率よく安定した高画質を維持して作像出来るようにした画像形成システムに関する。
【背景技術】
【０００２】
近年、高度情報化技術の進展により、画像形成装置本体に付随して、デジタル技術に基づき高画質、高生産性及び多様な後処理機能を有する画像形成システムの必要性が高まっている。
【０００３】
ところが色々な機能を実現する中で、画像形成装置本体側では、異なる紙サイズや紙種の挿入を行う所謂合紙、更には、後処理機能としては、表紙や裏表紙の挿入、断裁、糊やホッチキスを用いる製本などの機能が付加されたものが現れ、これら処理の幾つかが組み合わされた指令が操作部から入力されて、それに基づき行われる一連の仕事をＪｏｂと定義するが、そのＪｏｂの途中で、隣り合うプリントとプリントの時間間隔を広げ、後処理等の作業を行い、プリントを行わない状態で次のプリントの開始を待つ必要性が発生し、この間の画像形成装置本体の、帯電、現像、クリーニングなどの機能を持つ作像系ユニットは、ただ空回転動作をし待機する事で潜像担持体（感光体）との接触回転によるクリーニングブレードの減耗や、現像剤劣化が促進され、それに伴う画質劣化や現像剤寿命の短縮が進行してしまっていた。これら問題に対して、特許文献１に示すような技術が開示されているが、特に高速機ではまだ不十分であり更なる改善が望まれている。
【０００４】
即ち、作像系ユニットにおける各画像形成段階間の時間間隔（画像領域先端及び後端間の時間間隔）が所定の定常値よりも長い場合に、現像器や感光体ドラムを駆動する駆動モータを一時停止するが、図４に示すように、この駆動モータのオフタイミングは装置からの記録紙等転写材（以下用紙という）の排出を検出する排紙センサからの信号に基づき決めるようにしてある。即ち、上記特許文献１の発明は、ある規定間隔時間以上プリント間隔時間が長くなった事を実際にセンサで検知してから所定の停止動作に切り替えるため、ある規定間隔時間は空回転動作が必要になり、この部分は図４のＡ部分で示すように空回転を短縮軽減することが出来ないという不都合がある。また、一旦停止させる為の時間と再び回転スタートする時の立ち上げ動作が必要となり、この分、図５のＢ部分に示すように、次のプリント開始時間が遅くなり、結局プリントの生産性を低下させてしまう場合が存在する。
【特許文献１】特開２０００−１０３５９号公報
【発明の開示】
【発明が解決しようとする課題】
【０００５】
本発明は上記不具合点を排除して、画像形成装置の交換部品であるブレード、感光体等の資材や現像剤の寿命（耐久性能）を延ばし、多機能な後処理装置を有する場合にも、画質劣化を防止し、高画質と高生産性を有する画像形成システムを提供することを目的にする。
【課題を解決するための手段】
【０００６】
この目的は次の技術手段１〜５の何れか１項によって達成される。
１．静電潜像担持体上に形成された静電潜像を現像剤担持体上に担持した現像剤によって現像して用紙にプリントする電子写真方式の画像形成装置と、プリントされた用紙に後処理を行う後処理装置とを有する画像形成システムにおいて、
複数の種類のＪｏｂ内容及び各Ｊｏｂ内容に対応したプリント動作のシーケンスデータを予め前記画像形成システム内に登録して記憶する記憶手段と、
前記各Ｊｏｂ内容の何れか１つに対する設定データを入力する操作部と、
該設定データと前記記憶手段の登録内容とを照合して適合する前記シーケンスデータを選択する制御手段とを有し、
前記シーケンスデータは、隣り合う用紙間で初めの用紙の後端が検出され、次の用紙の先端が検出されるまでに、作像系ユニットの駆動を定常速度の状態、減速の状態、停止の状態の何れか１つの状態に選択されるようにしてあることを特徴とする画像形成システム。
２．前記複数の種類のＪｏｂ内容に組みこまれるデータは、用紙枚数、用紙サイズ、後処理機能の種類の少なくとも１つを含むものであることを特徴とする１に記載の画像形成システム。
３．前記作像系ユニットの中で駆動を減速の状態、停止の状態にする部材は、少なくとも静電潜像担持体及び現像器の攪拌部材であることを特徴とする１又は２に記載の画像形成システム。
４．前記作像系ユニットの駆動を減速の状態又は停止の状態にさせるシーケンスデータは、製本単位の最後に供給される用紙と次の製本単位の最初に供給される用紙との間に有る条件の場合に対応して前記後処理機能の種類が選択され、前記条件以外の場合の用紙間では定常速度の状態に選択されていることを特徴とする１〜３の何れか１項に記載の画像形成システム。
５．前記記憶手段に登録される前記Ｊｏｂ内容のデータ及び前記シーケンスデータは、マトリックス状に組みこまれた制御テーブルに格納されていることを特徴とする１〜４の何れか１項に記載の画像形成システム。
【発明の効果】
【０００７】
本発明により、時間のかかる後処理機能が連結されて連続稼働するような場合においても、空回転時間が極力短縮されるように選択制御され、画像形成装置の交換部品及び現像剤やブレード、感光体等資材の寿命（耐久性能）が延ばされ、画質劣化も防止され、高画質と高生産性を有する画像形成システムが提供出来た。
【発明を実施するための最良の形態】
【０００８】
以下に本発明についての実施の形態を、図面に基づいて説明する。なお、本発明を実施するための最良の形態における説明では、本明細書に用いる用語や断定的な記載により発明の技術的範囲が限定されることはない。
【０００９】
まず、図１を用いて画像形成システム２００について詳述する。
【００１０】
画像形成システム２００は、画像読取部１、画像処理部２、画像形成部３、操作部１１０，カセット給紙部５、記録用紙Ｓを収納した大容量給紙部（ＬＣＴ）６、定着装置７、排紙部８、自動両面コピー給紙部（ＡＤＵ）９を有する画像形成装置Ｇと、記録紙後処理装置（フィニッシャ）ＦＳとを備えている。また、画像形成装置Ｇの上部を占めるのは、自動原稿送り装置ＡＤＦである。
【００１１】
自動原稿送り装置ＡＤＦの原稿台上に載置された原稿ｄは矢印方向に搬送され画像読取部（走査露光装置）１の光学系により原稿の片面又は両面の画像が読み取られ、ＣＣＤイメージセンサ１Ａに読み込まれる。
【００１２】
ＣＣＤイメージセンサ１Ａにより光電変換されたアナログ信号は、画像処理部２において、アナログ処理、Ａ／Ｄ変換、シェーディング補正、画像圧縮処理等を行った後、画像形成部３に信号を送る。
【００１３】
画像形成部３においては、静電潜像担持体としての感光体ドラム１０を帯電した後、半導体レーザからの出力光が感光体ドラム１０を照射し、感光体ドラム１０上に潜像を形成する。その後、現像剤の攪拌部材１２や現像剤を担持する現像剤担持体１３を有する現像器１１により現像処理が行われ、大容量給紙部６から搬送された記録媒体としての用紙Ｓに画像が転写される。転写後、感光体ドラム１０の残留トナーはブレード１８を装着した清掃部材１７によって清掃される。画像を担持した用紙Ｓは、定着装置７により定着され、排紙部８から用紙の後処理装置ＦＳに送り込まれる。或いは搬送路切り替え板８Ａにより自動両面コピー給紙部９に送り込まれた片面画像処理済みの用紙Ｓは再び画像形成部４において、両面画像形成後、排紙部８から用紙の後処理装置ＦＳに送り込まれる。
【００１４】
用紙の後処理装置ＦＳには、図示の上段から、差込紙（表紙、裏表紙等に用いる）を収納した差込紙給紙手段４０、スタック手段３０、ステープル手段５０、折り手段６０が、ほぼ垂直方向に縦列配置されている。また、折り手段６０近傍には、中綴じされた冊子の小口を断裁する断裁手段９０が配置されている。なお、本実施の形態では、記録紙後処理装置ＦＳに断裁手段が備えられているが、冊子を排出後に、別途、汎用の断裁機を用いて冊子を断裁するようにしてもよい。
【００１５】
用紙の後処理装置ＦＳの図示右上方には入口搬送部７０が配置されている。また、用紙の後処理装置ＦＳの図示左側面には、後処理を行わず、プリントされた用紙をそのまま排出して積載するＪｏｂに対応した可動排紙皿８１と、中綴じ処理済みの製本冊子を積載する固定排紙皿８２とが配置されている。
【００１６】
本発明は、このような画像形成システムにおいて、複数の種類のＪｏｂ内容及び各Ｊｏｂ内容に対応したプリント動作のシーケンスデータ１２６を予め前記画像形成システム内に登録して記憶する記憶手段１２０と、
前記各Ｊｏｂ内容の何れか１つに対する設定データを入力する操作部１１０と、
該設定データと前記記憶手段１２０の登録内容とを照合して適合する前記シーケンスデータ１２６を選択する制御手段１００とを有し、
前記シーケンスデータは、隣り合う用紙間で、先端後端検出器１５により初めの用紙の後端が検出されて、次の用紙の先端が検出されるまでに、作像系ユニットである感光体ドラム１及び現像器１１特にその攪拌部材１２の駆動を定常速度の画像形成時と同じ状態、減速の状態、停止の状態の何れか１つの状態に選択するようにしてあることを特徴とするものである。
【００１７】
それをブロック回路図で示すと図２のようになる。
【００１８】
記憶手段１２０の中にプリントする用紙のサイズ、枚数、材質、後処理装置の製本等の種類や後処理の有無とを記憶したＪｏｂ内容１２４及びそれに対応した適切なシーケンスデータ１２６を組み合わせた制御テーブル１２１が格納されている。
【００１９】
操作部１１０にＪｏｂを設定する指示データを入力することにより、それが操作部１１０から制御手段１００に入力され、更に、制御手段１００から記憶手段１２０に照合され、適応するシーケンスデータが選択され、用紙検出手段１３０の検出値が制御手段１００に伝達されＪｏｂの実行が為されるように制御される。
【００２０】
それをフローチャートで示すと図３のようになる。
【００２１】
即ち、Ｓｔ１でＪｏｂの内容データが操作部に入力され、Ｓｔ２では適合するシーケンスデータが選択され、Ｓｔ３でそのＪｏｂは後処理のオプションが含まれるかどうか判断され、含まれていれば、Ｓｔ７の後処理のオプションのシーケンスデータが選択され、含まれていなければＳｔ４の定常のシーケンスデータが選択される。そして、Ｓｔ５で入力されたＪｏｂデータに従って所用のサイズと枚数のコピーが得られて、Ｓｔ６で所定のＪｏｂが完了する。
【００２２】
一方、Ｓｔ７が選択された場合は、Ｓｔ８で後処理に選ばれた製本の一冊に必要な枚数がコピーされると、Ｓｔ９で後処理装置ＦＳである製本機での製本が開始され、Ｓｔ１０で一冊の製本が為されると、直ちにＳｔ１１で冊数が計数カウントされると共に、Ｓｔ７に戻り、Ｓｔ８で次の部数のコピーが再開され、Ｓｔ８〜Ｓｔ１１が必要回数（冊数）繰り返され、Ｓｔ１２で部数が設定値に達したことを確認し、Ｓｔ１３でＪｏｂの完了がなされる。
【００２３】
次に、以上のシーケンスを更に具体的に作動線図（タイムチャート）を用いて説明する。
【００２４】
図４の作動線図に示す従来例は、前述のように、Ｎ枚目とＮ＋１枚目の用紙間で、プリント動作の一旦停止があり、且つ、Ｎ＋１枚目の再作動が製本等の後処理作動が挿入されるので遅くなる場合であり、
規定間隔時間待って次の紙であるＮ＋１枚目が来ないので、作像系ユニットの駆動部（エンジン）側を停止、その後Ｎ＋１枚目の給紙信号を受け、次のプリント動作を再開するため、作像系ユニット（感光体と現像器）の駆動部（エンジン）を回転させている。
【００２５】
Ａ部分が規定間隔時間を示し、且つエンジン側が空回転している状態を表している。
【００２６】
図５の作動線図に示す従来例における、ａ）は、用紙間の一旦停止が有り、且つ、Ｎ＋１枚目が一旦停止直後に来た場合であり、ｂ）は、ａ）における一旦停止をさせないようにした場合との生産性を比較している。
【００２７】
図６のブロック図に示す従来例は、製本等の後処理実施時の空回転状態と回転停止状態との構成を表している。即ち、Ａ４判の用紙で４２０枚プリントし、２０枚毎にくるみ製本を実施の場合、プリント２０枚終了後に、製本作動を２０秒実行をし、製本作動終了後に次のプリントを再開することを繰り返している。
【００２８】
さて、本発明においては、複数のＪｏｂ内容に組みこまれるデータは、用紙枚数、用紙サイズ、後処理装置の処理内容の種類によって編成され、各Ｊｏｂには、対応したシーケンスデータが組みこまれており、前記データを操作部に入力することにより、それに対応した特定のＪｏｂが実行される。
【００２９】
そして本発明に基づいて実行された、図７の作動線図に示すシーケンスデータは、Ｎ枚目とＮ＋１枚目の用紙間で、プリント動作における作像ユニットの一旦停止があり、且つ、製本等の後処理作動が挿入されるので、Ｎ＋１枚目の再作動が遅くなる従来型の場合に対応して、為されたものであり、本発明の画像形成装置の記憶データの中から制御手段によって選択されて実行されるシーケンスの一例である。即ち、Ｎ枚目の後端が来たとき、規定間隔時間待つことなく、直ちに、作像系ユニットのエンジン側を停止し、空回転の時間を全く無くし、次の用紙であるＮ＋１枚目の先端を検知するＮ＋１枚目の給紙信号を受けると、次のプリント動作を再開し、エンジン（感光体と現像器の）を回転させ、隣り合う用紙間における駆動制御において、適切なシーケンスデータが選択されて機能した場合である。
【００３０】
前述の、図４の作動線図に示す従来例に較べ、２０秒の後処理装置の作動中、殆ど作像系ユニットの空回転が無いので現像剤のヘタリの進行やそれに伴う画像濃度の低下及びかぶりが大きく抑制される。この場合は生産性は両者同じである。
【００３１】
図８の作動線図に示すものは、Ｎ枚目とＮ＋１枚目の用紙間で、操作部へのＪｏｂの実行データの入力に基づき、プリント動作の一旦停止を無くし、定常の給紙信号による定常の駆動で用紙間の時間制御を行う定常のシーケンスが本発明の画像形成装置の記憶手段の中から制御手段によって、定常動作として選択されて実行されたものであることを表している。
【００３２】
前記記憶手段に登録される前記Ｊｏｂ内容のデータ及び前記シーケンスデータは、マトリックス状に組みこまれた画像形成装置の制御テーブルに格納されているが、操作部への実行データの入力によって適切なシーケンスデータが選択されてプリント動作が実行される。
【００３３】
尚、上記説明では、作像系ユニットを停止の状態で行ったが、停止でなく減速の状態で行っても同じ効果が得られる。
【００３４】
さて、以上のシーケンスデータを採用した本発明の画像形成装置で画像形成を行った場合と、従来のシーケンスによって製本等のオプションを行う画像形成との間で連続プリントを行った場合とで濃度低下やカブリの発生を比較してみる。
【００３５】
画像形成のために用いた諸元は次のようになる。
【００３６】
本発明の画像形成装置：Ａ４判用紙が毎分１０５枚作像出来る白黒用複写機に、オプションとして後処理製本機（設定枚数スタックし揃えた後、中央部をステープルで止めた後中央で折り返して端部を切りそろえて仕上げをして製本するもので、１回製本するのに２０秒必要）を連結したもので、本発明のシーケンスデータによる制御を組みこんだものである。
【００３７】
従来の画像形成装置：Ａ４判用紙が毎分１０５枚作像出来る白黒用複写機に、オプションとして後処理製本機（設定枚数スタックし揃えた後、中央部をステープルで止めた後中央で折り返して端部を切りそろえて仕上げをして製本するもので、１回製本するのに２０秒必要）を連結したものであるが、従来のシーケンスで制御されるものである。
【００３８】
現像剤：トナーは重合トナー（スチレン−アクリル、体積平均粒径６．５μｍ）を使用した。
【００３９】
キャリアはフェライトキャリア（アクリル系樹脂コート、体積平均粒径６０μｍ）を使用した。
【００４０】
通紙する用紙の種類は次のようになる。
【００４１】
普通紙：コニカミノルタコピー用紙Ｊペーパー  Ａ４サイズ、
評価方法は次のようにした。
【００４２】
プリント画像品質確認テスト
（１）連続コピーはＡ４判に、原稿に印字率６％のものを用い、一回のＪｏｂは適宜枚数設定し実行した。そして、３０万コピーの捨てコピーを実施した。
【００４３】
（２）５万コピー毎に画像サンプル取りを行い、Ａ３判サイズで、全面べた黒と全面ハーフトーンと全面白の３種各１枚ずつ採取して、画像の確認を実施した。
【００４４】
そして、画像部が「画像濃度薄い」、非画像部に「かぶり」が発生しないか目視評価確認を実施した。
【００４５】
「かぶり」の判定基準：白紙部分の画像かぶりが最も悪い画像を目視抽出、画像反射濃度計（製品名：マクベス濃度計  ＲＤ−９１８）にて１枚の画像サンプル中で最もかぶりが酷い部分のかぶり濃度を測定する。
【００４６】
印字していない紙の絶対反射濃度との濃度差が０．００６未満は「○」、０．００６以上は「×」と判定。
【００４７】
「画像濃度薄い」の判定基準：ベタ黒で最も薄い画像部分を目視で判別、その場所の画像濃度を画像反射濃度計（製品名：マクベス濃度計  ＲＤ−９１８）にて濃度を測定する。
【００４８】
反射濃度が１．３以上を「○」、１．３未満を「×」と判定する。
本発明の実施例と、比較例（従来）は次のようになる。
（１）従来例（比較例１）：図４に示すように、用紙間に一旦停止有り、且つ、Ｎ＋１枚目の再作動が製本等の後処理作動が挿入されるので遅くなる場合。
【００４９】
後処理として「製本機」を装着している。
【００５０】
Ａ４判／２０枚をまとめて１回製本する設定とし、これに必要な時間は２０秒である。
【００５１】
この２０枚毎に１回製本する動作を繰り返し行い、ランニングテストを実施した。
【００５２】
用紙間規定間隔「Ａ」は１０秒と設定、前半の空回転後の後半１０秒はエンジンを一旦停止させた。
【００５３】
この場合、Ａ部分ではエンジンが空回転している状態にある。
【００５４】
規定間隔（時間）待って次の紙（Ｎ＋１枚目）が来ないのでエンジン側が自動停止し、その後Ｎ＋１枚目の給紙部への給紙信号を受け次プリント動作を再開しエンジン（感光体と現像器）を回転させた。
【００５５】
結果は表１のようになり、２０万プリントでベタ黒原稿部分の「画像濃度」が低下し始め、２５万プリントで余白の白紙部分に「かぶり」発生し画像品質が低下し、ここで実験の続行を終了。
（２）従来例（比較例２ａ）：ａ）用紙間の一旦停止が有り、且つ、Ｎ＋１枚目が一旦停止直後に来た場合である。
【００５６】
従来例（比較例２ｂ）：ｂ）一旦停止させない場合である。
【００５７】
この生産性比較は、図５（ａ）と図５（ｂ）に明確に現れている。
【００５８】
ａ）の場合、用紙間規定間隔が過ぎエンジンが一旦停止するためのシーケンス（これは現像剤の潜像担持体への付着防止、潜像担持体に残存するトナーのクリーニングのため必須）が動作する。しかし、直後に次プリント（Ｎ＋１枚目）の給紙部への給紙信号を受け、次プリント動作を再開するシーケンス（潜像担持体の回転を立ち上げ、潜像担持体の電位安定化のための予備回転、現像剤の潜像担持体への付着防止）が動作する。
【００５９】
ｂ）の場合、エンジン一旦停止する動作を禁止しそのまま空回転を継続させている。
【００６０】
ａ）と同じタイミングで次プリント（Ｎ＋１枚目）の給紙部への給紙信号が入っても、
エンジンの停止＋立ち上げシーケンスを行う必要が無いため、ａ）の場合より「Ｂ」の部分早く次プリント開始ができる。
【００６１】
一旦停止と立ち上げが必要なａ）は、直ぐに次プリントを開始できるのでｂ）に比べて連続プリント生産性がを低下してしまう。
【００６２】
一旦停止させる用紙間規定間隔を設定した場合、用紙間規定間隔時間直後に連続プリントが来ると生産性が低下する欠点がある。
【００６３】
比較例２ａ、比較例２ｂの場合も比較例１と同様なテストを行い、表１の結果を得た。即ち１５万プリント濃度が薄くなり、２０万プリントでかぶりが発生した。
（３）従来例（比較例３）：一例として図６のブロック図に示すように、製本動作として後処理を実施し、用紙間でエンジンを止めず空回転継続する場合である。
【００６４】
Ａ４判を４２０枚プリントし、２０枚毎に上記製本を実施する。
【００６５】
プリント２０枚毎に製本を１回行い、２０秒実行する。
【００６６】
製本動作終了後に、次のプリントを再開し、これを繰り返した。
【００６７】
例えば、プリント時間合計２４０秒（＝２１回×１１．４秒）、製本時間合計４２０秒（＝２１回×２０秒）、スタートからエンドまでの総時間６６０秒である。
【００６８】
無駄な空回転時間は総計４２０秒になってしまう。
【００６９】
これを更に長時間繰り返すランニングテストを行った。結果は表１のようになり、１０万コピーにて濃度が薄くなり、１５万コピーにて「かぶり」が出てテストを終了した。
【００７０】
この間潜像担持体とクリーニングブレードの減耗が進む。また、現像器中のトナーが現像器内にそのまま留まっていてストレスを受け劣化（トナー外添剤の埋没や離脱に伴う帯電性能および流動性の低下）する。その結果、転写効率低下による画像濃度低下、現像器内トナーの帯電量低下による画像かぶりが発生し易くなる。
（４）本発明（実施例１ａ）：一例として図７の作動線図及び図９のブロック図に示すように、予めエンジン速度を低下させるか、又は一旦停止させる制御テーブルを登録記憶しておき、Ｊｏｂ内容に基づき前記制御を実施した場合であり、一旦停止有りの場合に相当する。
【００７１】
Ａ４判、２０枚毎に製本を実施する事を画像形成装置の操作部から入力する。
【００７２】
プリント制御ユニットに予め記録された制御テーブルに基づき、上記設定では隣り合う用紙間でエンジンを一旦停止する動作シーケンスが選択された。
【００７３】
スタートから２０枚後の用紙後端が先端後端検出器１５を通過したシーケンスタイミングを見計らって直ちにエンジンを一旦停止させた。
【００７４】
エンジン停止させた約２０秒後に次プリント（Ｎ＋１枚目）の給紙部への給紙信号が入り、直ちにエンジン立ち上げシーケンスを実行する。そして次のプリントの先頭が供給されるまでに正規に画像作成できるエンジン速度（回転数）及び準備を整え、次プリントの画像作成を再開する。
【００７５】
上記動作を１サイクルとし、４２０枚終了まで繰り返す。これを更に繰り返してランニングテストを継続した。
【００７６】
結果は表１に示すようになる。即ち、３０万プリンまで「濃度低下」「かぶり」などの画像品質低下は未発生であり、良好な画像品質が維持できた。
【００７７】
なお、実施例１ｂとして、一旦停止の変わりに潜像担持体および現像器のスピードを画像作成時の１／２０に低下させても、同じく３０万プリントまで良好な画像品質が維持できた。これも表１に示す。
（５）本発明（実施例２）：一例として図８の作動線図に示すように、画像形成装置内に予め、駆動を止めないで定常の速度のままとするか、駆動速度を低下させるか、又は一旦停止させるかを仕分けた制御テーブルを登録記憶しておき、Ｊｏｂ内容に基づき前記制御を実施した場合、一旦停止無しが選択された場合である。
【００７８】
Ａ４判の用紙を使用し、オプション機能（製本機能ＯＦＦの状態にしてある）は特に設けず、連続プリントを実施する事を画像形成装置の操作部から入力した場合である。
【００７９】
即ち、プリント制御ユニットに予め記録された制御テーブルに基づき、上記設定では用紙間で作像ユニットのエンジンを停止も遅くもさせず、そのままの速度で空回転する動作シーケンスが選択された場合である。
【００８０】
結果は表１に示すように、用紙間の時間は必要最小限になり生産性を低下させる事が無い（無駄がない）、また、用紙間での空回転が必要最小限になっているので、トナー等資材への無駄なストレス増加が無いため、３０万プリンまで「濃度低下」「かぶり」などの画像品質低下は未発生であり、良好な画像品質が維持できた。
【００８１】
【表１】
2007171573.tif 000003
【図面の簡単な説明】
【００８２】
【図１】本発明の画像形成システムの概略構成図である。
【図２】本発明の画像形成システムの制御手段を示すブロック回路図である。
【図３】本発明の画像形成システムの制御を示すフローチャートである。
【図４】従来型の画像形成システムにおける製本時の状態を示す作動線図である。
【図５】（ａ）、（ｂ）は従来型の画像形成システムにおける製本時の状態を示す作動線図である。
【図６】従来型の画像形成システムにおける製本時の状態を示すブロック図である。
【図７】本発明の画像形成システムにおける製本時の状態の一例を示す作動線図である。
【図８】本発明の画像形成システムにおける通常の画像形成だけを行う状態の一例を示す作動線図である。
【図９】本発明の画像形成システムにおける製本時の状態の一例を示すブロック図である。
【符号の説明】
【００８３】
１  画像読取部
２  画像処理部
３  画像処理部
５  カセット給紙部
６  給紙部
７  定着装置
８  排紙部
９  自動裏面給紙部
１０  感光体ドラム（静電潜像担持体）
１１  現像器
１２  攪拌部材
１３  現像剤担持体
１５  先端後端検出器
１７  清掃部材
１８  ブレード
３０  スタック手段
４０  差し込み紙給紙手段
５０  ステープル手段
６０  折り手段
７０  入り口搬送部
８１  可動排紙皿
８２  固定排紙皿
９０  断裁手段
１００  制御手段
１１０  操作部
１２０  記憶手段
１２１  制御テーブル
１２４  Ｊｏｂ内容
１２６  シーケンスデータ
１３０  用紙検出手段
２００  画像形成システム
Ｇ  画像形成装置
ＦＳ  後処理装置
Ｓ  用紙
【図１】
2007171573.tif 000004
【図２】
2007171573.tif 000005
【図３】
2007171573.tif 000006
【図４】
2007171573.tif 000007
【図５】
2007171573.tif 000008
【図６】
2007171573.tif 000009
【図７】
2007171573.tif 000010
【図８】
2007171573.tif 000011
【図９】
2007171573.tif 000012